(57)【要約】【課題】光トランシーバの状態の変化を遅延なく検出することができる光伝送装置を提供する。【解決手段】光伝送装置１を、接続手段２と、電力供給手段３と、取得手段４と、監視手段５を備える構成とする。接続手段２は、光トランシーバを接続するコネクタを有し、前記コネクタを介して前記光トランシーバを接続する。電力供給手段３は、前記コネクタを介して前記光トランシーバに電力を供給する。取得手段４は、前記コネクタを介して前記光トランシーバに供給される電力の情報を取得する。監視手段５は、前記電力の情報を基に前記光トランシーバの状態を監視する。【選択図】      図１
2020053822.tif 000002
【特許請求の範囲】
【請求項１】
光トランシーバを接続するコネクタを有し、前記コネクタを介して前記光トランシーバを接続する接続手段と、
前記コネクタを介して前記光トランシーバに電力を供給する電力供給手段と、
前記コネクタを介して前記光トランシーバに供給される電力の情報を取得する取得手段と、
前記電力の情報を基に前記光トランシーバの状態を監視する監視手段と
を備えることを特徴とする光伝送装置。
【請求項２】
前記取得手段は、前記コネクタを介して前記光トランシーバに出力される電流値を測定することで前記電力の情報を取得することを特徴とする請求項１に記載の光伝送装置。
【請求項３】
前記取得手段は、前記コネクタの通過前後における電圧差を測定し、前記電圧差と前記コネクタの接触抵抗とを基に、電流値を算出して前記電力の情報を取得することを特徴とする請求項１に記載の光伝送装置。
【請求項４】
ファンの回転によって冷却する冷却手段と、
前記取得手段が取得した前記電力の情報を基に、前記ファンの回転を制御する冷却制御手段と
をさらに備えることを特徴とする請求項１から３いずれかに記載の光伝送装置。
【請求項５】
前記光トランシーバに供給される電力があらかじめ設定された基準以上であることを、前記電力の情報を基に検知したとき、前記電力供給手段からの電力供給を停止させる電力制御手段をさらに備えることを特徴とする請求項１から４いずれかに記載の光伝送装置。
【請求項６】
複数の光トランシーバと、
請求項１から５いずれかに記載の光伝送装置と
を備え、
前記監視手段は、複数の前記光トランシーバそれぞれに供給される前記電力の情報を取得し、前記電力の情報を基に前記光トランシーバそれぞれの状態を監視することを特徴とする光伝送システム。
【請求項７】
光トランシーバを接続するコネクタに、前記コネクタを介して前記光トランシーバを接続し、
前記コネクタを介して前記光トランシーバに電力を供給し、
前記コネクタを介して前記光トランシーバに供給される電力の情報を取得し、
前記電力の情報を基に前記光トランシーバの状態を監視することを特徴とする制御方法。
【請求項８】
前記コネクタを介して前記光トランシーバに出力される電流値を測定することで前記電力の情報を取得することを特徴とする請求項７に記載の制御方法。
【請求項９】
前記コネクタの通過前後における電圧差を測定し、前記電圧差と前記コネクタの接触抵抗とを基に、前記電流値を算出することで前記電力の情報を取得することを特徴とする請求項７に記載の制御方法。
【請求項１０】
前記電力の情報を基にファンの回転を制御し、
前記ファンの回転によって装置内を冷却することを特徴とする請求項７から９いずれかに記載の制御方法。
【発明の詳細な説明】
【技術分野】
【０００１】
本発明は、光通信技術に関するものであり、特に、光トランシーバの状態を監視する技術に関するものである。
【背景技術】
【０００２】
データセンタや局舎などに収容される光伝送装置において、プラガブルタイプの光トランシーバが用いられることが多くなっている。光通信システムを安定して運用するためには、光伝送装置に接続されている光トランシーバの動作状態を監視する必要がある。プラガブル型の光トランシーバの動作状態の監視は、例えば、制御用の通信バスを介して光トランシーバと光伝送装置側が通信を行うことで行われる。しかし、光トランシーバの搭載数が多くなると通信バスで輻輳が生じ、動作状態の監視に時間を要する恐れがある。よって、通信バスを介したデータの通信量は出来るだけ抑制する必要がある。そのため、通信バスを介した通信量を抑制し、光トランシーバの状態を監視できる技術があることが望ましい。そのような、通信バスの通信量を抑制して光トランシーバの監視を行う技術としては例えば、特許文献１のような技術が開示されている。
【０００３】
特許文献１は、監視情報を保存する機能を有するプラガブル型の光トランシーバに関するものである。特許文献１の光トランシーバは、機器において推定される故障原因と、監視結果との対応を示す対応表を有し、推定される故障原因をメモリに保存している。特許文献１では、作業者がメモリから故障原因のデータを読み出すことで故障の原因調査を短時間で行うことができるとしている。
【先行技術文献】
【特許文献】
【０００４】
【特許文献１】特開２０１４−１０７６７６号公報
【発明の概要】
【発明が解決しようとする課題】
【０００５】
しかしながら、特許文献１の技術は次のような点で十分ではない。特許文献１では、光トランシーバのメモリに保存される故障原因のデータが解析時に読み出されている。よって、光伝送装置側では、光トランシーバに異常等が発生して状態が変化した際に、すぐに状態の変化を把握することができない。そのため、特許文献１の技術は、光トランシーバの状態の変化を遅延なく把握する技術としては不十分である。
【０００６】
本発明は、上記の課題を解決するため、光トランシーバの状態の変化を遅延なく検出することができる光伝送装置を提供することを目的としている。
【課題を解決するための手段】
【０００７】
上記の課題を解決するため、本発明の光伝送装置は、接続手段と、電力供給手段と、取得手段と、制御手段を備えている。接続手段は、光トランシーバを接続するコネクタを有し、コネクタを介して光トランシーバを接続する。電供供給手段は、コネクタを介して光トランシーバに電力を供給する。取得手段は、コネクタを介して光トランシーバに供給される電力の情報を取得する。監視手段は、電力の情報を基に光トランシーバの状態を監視する。
【０００８】
本発明の制御方法は、光トランシーバを接続するコネクタに、コネクタを介して光トランシーバを接続する。本発明の制御方法は、コネクタを介して光トランシーバに電力を供給する。本発明の制御方法は、コネクタを介して光トランシーバに供給される電力の情報を取得する。本発明の制御方法は、電力の情報を基に光トランシーバの状態を監視する。
【発明の効果】
【０００９】
本発明によると、光トランシーバの状態の変化を遅延なく検出することができる。
【図面の簡単な説明】
【００１０】
【図１】本発明の第１の実施形態の構成の概要を示す図である。
【図２】本発明の第２の実施形態の構成の概要を示す図である。
【図３】本発明の第２の実施形態の制御部の構成を示す図である。
【図４】本発明の第３の実施形態の構成の概要を示す図である。
【図５】本発明の第３の実施形態の制御部の構成を示す図である。
【図６】本発明の第４の実施形態の構成の概要を示す図である。
【図７】本発明の第４の実施形態の制御部の構成を示す図である。
【発明を実施するための形態】
【００１１】
（第１の実施形態）
本発明の第１の実施形態について図を参照して詳細に説明する。図１は、本実施形態の光伝送装置の構成の概要を示したものである。本実施形態の光伝送装置１は、接続手段２と、電力供給手段３と、取得手段４と、監視手段５を備えている。接続手段２は、光トランシーバを接続するコネクタを有し、前記コネクタを介して前記光トランシーバを接続する。電力供給手段３は、前記コネクタを介して前記光トランシーバに電力を供給する。取得手段４は、前記コネクタを介して前記光トランシーバに供給される電力の情報を取得する。監視手段５は、前記電力の情報を基に前記光トランシーバの状態を監視する。
【００１２】
本実施形態の光伝送装置１は、接続手段２に接続されている光トランシーバに電力供給手段３が供給する電力の情報を取得手段４が取得している。また、本実施形態の光伝送装置１は、監視手段５において取得手段４が取得した電力の情報を基に光トランシーバの状態を監視している。このように、光トランシーバに供給される電力を基に光トランシーバの監視を行うことで、本実施形態の光伝送装置１は、供給される電力の変化を基に光トランシーバの状態の変化を検出することができる。また、光トランシーバに供給される電力を基に光トランシーバの監視を行うことで、通信バス等が律速になることはない。よって、本実施形態の光伝送装置１は、接続されている光トランシーバの状態が変化した際に、電力の変化を基に、時間を要さずに状態の変化を検出することができる。そのため、本実施形態の光伝送装置１は、光トランシーバの状態の変化を遅延なく検出することができる。
【００１３】
（第２の実施形態）
本発明の第２の実施形態について図を参照して詳細に説明する。図２は、本実施形態の光伝送装置１０の構成の概要を示したものである。本実施形態の光伝送装置１０は、複数の光トランシーバを備え、光通信ネットワークを介して他の光伝送装置との間で波長多重信号の送受信を行う通信装置である。
【００１４】
本実施形態の光伝送装置１０は、光トランシーバ１１と、電流測定部１２と、制御部１３と、電源部１４を備えている。光トランシーバ１１は、光トランシーバ１１−１から光トランシーバ１１−ＮまでＮ個、備えられている（Ｎは、正の整数）。各光トランシーバ１１は、コネクタ１００を介して光伝送装置に接続されているプラガブル型の光トランシーバである。また、電流測定部１２は、光トランシーバ１１にそれぞれ対応するように電流測定部１２−１から電流測定部１２−ＮまでＮ個、備えられている。
【００１５】
光トランシーバ１１は、光信号の送受信を行う機能を有する。光トランシーバ１１は、光源、変調器、フォトダイオードおよび信号処理回路などを備え、電源部１４から供給される電力を元に動作する。光トランシーバ１１は、光伝送装置１０から入出力される信号を基に、光信号の送受信を行う。
【００１６】
電流測定部１２は、各光トランシーバ１１に供給される電流値を取得する機能を有する。電流測定部１２は、電源部１４から各光トランシーバ１１に電力を供給する電源線上にそれぞれ備えられている。電流測定部１２は、電源線を流れる電流を測定し、測定結果を制御部１３に出力する。本実施形態の電流測定部１２の機能は、第１の実施形態の取得手段４に相当する。
【００１７】
制御部１３の構成について説明する。図３は、本実施形態の制御部１３の構成を示したものである。本実施形態の制御部１３は、電源制御部１１１と、電流値取得部１１２を備えている。
【００１８】
電源制御部１１１は、光トランシーバ１１の動作状態を基に電源部１４を制御する。電源制御部１１１は、電流値取得部１１２を介して取得する各光トランシーバ１１に供給される電流の測定結果を基に、各光トランシーバ１１の状態を判断する。
【００１９】
電源制御部１１１は、光トランシーバ１１に供給される電流値が所定の基準を満たさないときに電源の供給を停止することを示す信号を電源部１４に出力する。電流値が所定の基準を満たさないときに、電源制御部１１１は、光トランシーバ１１に異常が生じていることを示す信号を、光伝送装置１０に接続されている管理システム等に出力する構成であってよい。
【００２０】
電流値取得部１１２は、各電流測定部１２から各光トランシーバ１１に供給されている電流の電流値の測定結果を取得する。また、本実施形態の制御部１３の機能は、第１の実施形態の監視手段５に相当する。
【００２１】
制御部１３は、例えば、ＦＰＧＡ（Field Programmable Gate Array）等の半導体装置を用いて構成されている。制御部１３は、ＣＰＵ（Central Processing Unit）等の汎用プロセッサにおいてプログラムを実行することで各処理を行ってもよい。
【００２２】
電源部１４は、各光トランシーバ１１に電源線を介して電力を供給する。各光トランシーバ１１は、電源部１４に対して並列に接続されている。電源部１４は、外部から供給される電力を元に、各光トランシーバ１１に電力を供給する。また、本実施形態の電源部１４の機能は、第１の実施形態の電力供給手段３に相当する。
【００２３】
コネクタ１００は、光トランシーバ１１を接続する接続部として備えられている。コネクタ１００は、光トランシーバ１１が送受信を行う信号の入出力を行う信号線、電源線および制御信号の入出力を行う通信バス等を有している。また、本実施形態のコネクタ１００の機能は、第１の実施形態の接続手段２に相当する。
【００２４】
本実施形態の光伝送装置１０の動作について説明する。光伝送装置１０が動作を開始すると、制御部１３は、電源部１４に電力の供給を開始する信号を送る。電力の供給を開始する信号を受け取ると、電源部１４は、外部電源を元に各光トランシーバ１１に接続されている電源線を介して各光トランシーバ１１に電力を供給する。各光トランシーバ１１は、電源部１４に対して並列に接続されている。各電源線に備えられている電流測定部１２は、電源線を流れる電流を測定し、測定結果を制御部１３の電流値取得部１１２に送る。
【００２５】
電流値取得部１１２を介して各電源線を流れる電流の測定結果のデータを受け取ると、制御部１３は、電源制御部１１１において、電流値の測定結果を、光トランシーバ１１の異常の有無を判断する所定の基準値と比較する。制御部１３は、電源線と測定結果が送られてくる信号線との対応を基に測定結果の送信元の電流測定部１２を識別する。電流測定部１２は光トランシーバ１１の接続部ごとに備えられているので、制御部１３は、測定結果がどの位置に接続されている光トランシーバ１１の電流値を示すものであるかを判断することができる。
【００２６】
光トランシーバ１１の異常の有無を判断する所定の基準は、光トランシーバ１１が正常に動作している電流値の範囲を示す上限値および下限値を基に設定されている。測定結果が所定の基準の範囲内であるとき、制御部１３は、測定結果の監視を継続する。
【００２７】
測定結果が所定の基準の範囲外であるとき、制御部１３の電源制御部１１１は、電源部１４に電源の供給を停止する信号を送る。電源の供給を停止する信号を受け取ると、電源部１４は、電源の供給を停止する。
【００２８】
また、制御部１３は、異常が生じている電流測定部１２の識別情報と異常が生じていることを示す信号を光伝送装置１０に接続されている監視装置等に出力してもよい。電流測定部１２の識別情報は、例えば、電流測定部１２ごとに割り振られた識別子の情報が用いられる。異常が生じている電流測定部１２の識別情報と異常が生じていることを示す信号を受け取った監視装置等は、電流測定部１２の識別情報と光トランシーバ１１の関係を基に異常が生じている光トランシーバ１１を判断し、作業者等に通知する。
【００２９】
本実施形態の光伝送装置１０は、個々の光トランシーバ１１に供給される電流の測定結果を基に電源の制御を行っているが、接続されている複数の光トランシーバ１１に供給される電流の平均値を基に電源の制御を行ってもよい。また、電源の供給の停止と開始を、光トランシーバ１１ごとに行える構成としてもよい。そのような構成とすることで、光トランシーバ１１への電源の供給の制御の精度がより向上する。
【００３０】
本実施形態の光伝送装置１０は、光トランシーバ１１に供給される電流を光伝送装置１０内にある電流測定部１２において監視することで、光トランシーバ１１の状態を判断している。光トランシーバ１１にそれぞれ供給されている電力は、各光トランシーバ１１における消費電力と比例する。よって、光トランシーバ１１の状態に変化が生じて消費電力が変化すると、各光トランシーバ１１に供給されている電流の電流値が変化する。そのため、各光トランシーバ１１に供給されている電流の電流値を測定することで、光トランシーバ１１の状態の変化を検出することができる。
【００３１】
本実施形態の光伝送装置１０は、光トランシーバ１１に供給される電流を光伝送装置１０内にある電流測定部１２において監視することで、光トランシーバ１１と接続する通信バス等を介さずに光トランシーバ１１の状態を監視することができる。また、本実施形態の光伝送装置１０は、光トランシーバ１１に供給される電流値の変化を基に、光トランシーバ１１の状態が変化を短時間で検出することができる。そのため、本実施形態の光伝送装置１０は、光トランシーバ１１の異常等の状態を迅速に判断し、電源部１４の制御を行うことができる。その結果、本実施形態の光伝送装置１０は、光トランシーバ１１の状態の変化を遅延なく検出することができる。
【００３２】
（第３の実施形態）
本発明の第３の実施形態について図を参照して詳細に説明する。図４は、本実施形態の光伝送装置２０の構成の概要を示したものである。第２の実施形態の光伝送装置は、光トランシーバの異常を電流値の変化を基に検出した際に光トランシーバへの電源の供給を停止している。本実施形態の光伝送装置は、そのような構成に加え、光トランシーバに供給される電流値を基に、装置内の冷却を制御することを特徴とする。
【００３３】
本実施形態の光伝送装置２０は、光トランシーバ２１と、電流測定部２２と、制御部２３と、電源部２４と、冷却部２５を備えている。光トランシーバ２１は、光トランシーバ２１−１から光トランシーバ２１−ＮまでＮ個、備えられている（Ｎは、正の整数）。各光トランシーバ２１は、コネクタ１００を介して光伝送装置２０に接続されている。本実施形態のコネクタ１００の構成と機能は、第２の実施形態のコネクタ１００と同様である。また、電流測定部２２は、光トランシーバ２１にそれぞれ対応するように電流測定部２２−１から電流測定部２２−ＮまでＮ個、備えられている。
【００３４】
本実施形態の光トランシーバ２１と、電流測定部２２の構成と機能は、第２の実施形態の同名称の部位と同様である。
【００３５】
制御部２３の構成について説明する。図５は、本実施形態の制御部２３の構成を示したものである。本実施形態の制御部２３は、電源制御部１２１と、電流値取得部１２２と、冷却制御部１２３を備えている。本実施形態の制御部２３の電源制御部１２１および電流値取得部１２２の構成と機能は、第２の実施形態の同名称の部位と同様である。
【００３６】
制御部２３の冷却制御部１２３は、光トランシーバ２１に供給される電流値の測定結果を基に冷却部２５を制御する機能を有する。冷却制御部１２３は、光トランシーバ２１に供給される電流値の測定結果を基に冷却部２５のファンの回転数を制御する。冷却制御部１２３は、各電流測定部２２から電流値取得部１２２を介して送られてくる電流値の平均値を基に、冷却部２５のファンの回転数を決定し、ファンの回転数を示す制御信号を冷却部２５に送る。制御部２３の冷却制御部１２３は、電流値の平均値と冷却部２５のファンの回転数の関係を示すデータをあらかじめ保存している。制御部２３の冷却制御部１２３は、電流値の変化量を基に冷却部２５のファンの回転数を制御してもよい。
【００３７】
制御部２３の電源制御部１２１は、第２の実施形態と同様に光トランシーバ２１の動作の異常を検知する電流値の基準を基に、電源部２４の電源供給の停止を制御する。また、電流値取得部１２２は、各電流測定部２２から送られてくる電流値の平均値を算出する。
【００３８】
冷却部２５は、制御部２３の冷却制御部１２３の制御に基づいて光伝送装置２０内を冷却する。本実施形態の冷却部２５は、ファンを用いた空冷方式を用いて構成されている。冷却部２５は、冷却制御部１２３からファンの回転数の情報を受け取ると、受け取った回転数となるようにファンの回転を制御する。
【００３９】
本実施形態の光伝送装置２０の動作について説明する。光伝送装置２０が動作を開始すると、制御部２３の電源制御部１２１は、電源部２４に電力の供給を開始する信号を送る。電力の供給を開始する信号を受け取ると、電源部２４は、外部電源を元に各光トランシーバ２１に接続されている電源線を介して各光トランシーバ２１に電力を供給する。各光トランシーバ２１は、電源部２４に対して並列に接続されている。各電源線に備えられている電流測定部２２は、電源線を流れる電流を測定し、測定結果を制御部２３の電流値取得部１２２に送る。
【００４０】
電流値取得部１２２は、各電源線を流れる電流の測定結果のデータを受け取ると、各電流測定部２２から送られてくる測定結果の平均値を算出する。電流の測定結果の平均値が産されると、冷却制御部１２３は、算出された平均値から冷却部２５のファンの回転数を決定する。ファンの回転数を決定すると、冷却制御部１２３は、ファンの回転数を示す信号を冷却部２５に送る。冷却部２５は、冷却制御部１２３からファンの回転数の情報を受け取ると、受け取った回転数となるようにファンの回転を制御する。冷却部２５のファンが回転すると、光伝送装置２０内は、冷却される。
【００４１】
また、制御部２３の電源制御部１２１は、電流値の測定結果を、光トランシーバ２１の異常の有無を判断する所定の基準値と比較する。測定結果が所定の基準の範囲外であるとき、電源制御部１２１は、電源部２４に電源の供給を停止する信号を送る。電源の供給を停止する信号を受け取ると、電源部２４は、電源の供給を停止する。本実施形態の光伝送装置２０は、光トランシーバ２１における消費電力が上昇したときに装置内を冷却し、より消費電力が上昇したような場合に、異常が生じているとして光トランシーバ２１への電源の供給を停止している。このような制御を行うことで、本実施形態の光伝送装置２０は、より安定して動作することができる。
【００４２】
本実施形態の光伝送装置２０は、冷却部２５を１個のみ備えているが、冷却部２５を複数、備えていてもよい。冷却部２５を複数、備える構成とする場合には、測定された電流値に応じて動作する冷却部２５の個数を変えるようにしてもよい。また、冷却部２５は、各光トランシーバ２１に対応するように備えられていてもよい。光トランシーバ２１に対応するように冷却部２５が備えられている場合には、制御部２３の冷却制御部１２３は、光トランシーバ２１ごとの電流の測定結果に基づいて冷却部２５の動作を制御してもよい。
【００４３】
本実施形態の光伝送装置２０は、光トランシーバ２１に供給される電流を光伝送装置２０内にある電流測定部２２において測定し、測定結果を基に冷却部２５の制御を行っている。本実施形態の光伝送装置２０は、光トランシーバ２１に供給される電流値の変化を基に、光トランシーバ２１の状態が変化に短時間で対応して冷却部２５におけるファンの回転数を変更することができる。そのため、本実施形態の光伝送装置２０は、光トランシーバ２１の動作状態の変化に遅延することなく、冷却部２５の制御を行うことができる。
【００４４】
（第４の実施形態）
本発明の第４の実施形態について図を参照して詳細に説明する。図６は、本実施形態の光伝送装置３０の構成の概要を示したものである。第３の実施形態の光伝送装置は、電源線を流れる電流の電流値を計測していたが、本実施形態の光伝送装置は、コネクタの前後における電圧降下の測定結果を基に電流値を算出することを特徴する。
【００４５】
本実施形態の光伝送装置３０は、光トランシーバ３１と、電圧測定部３２と、制御部３３と、電源部３４と、冷却部３５を備えている。光トランシーバ３１は、光トランシーバ３１−１から光トランシーバ３１−ＮまでＮ個、備えられている（Ｎは、正の整数）。各光トランシーバ３１は、コネクタ１０１を介して光伝送装置３０と接続されている。また、電圧測定部３２は、光トランシーバ３１にそれぞれ対応するように電圧測定部３２−１から電圧測定部３２−ＮまでＮ個、備えられている。
【００４６】
電源部３４および冷却部３５の構成と機能は、第２の実施形態の同名称の部位と同様である。
【００４７】
光トランシーバ３１は、第２の実施形態の光トランシーバ１１と同様の構成と機能を有している。光トランシーバ３１は、第２の実施形態と同様の構成に加え、光伝送装置３０との接続用のコネクタ１０１の前後の電圧差を測定するための配線が接続されている。
【００４８】
電圧測定部３２は、コネクタ１０１の前後における電圧差を測定する。電圧測定部３２は、電圧差の測定結果を制御部３３に送る。電圧測定部３２は、コネクタ１００よりも光伝送装置３０側の電源線と、コネクタ１０１よりも光トランシーバ３１の内部側の電源線に接続されている。
【００４９】
制御部３３の構成について説明する。図７は、本実施形態の制御部３３の構成を示したものである。制御部３３は、電源制御部１３１と、電流値算出部１３２と、冷却制御部１３３を備えている。本実施形態の電源制御部１３１および冷却制御部１３３の構成と機能は、第３の実施形態の同名称の部位と同様である。
【００５０】
電流値算出部１３２は、各電圧測定部３２から入力される電圧差の測定結果を基に、電源線を流れる電流値を算出する。電流値算出部１３２は、各電圧測定部３２から入力される電圧差として電圧降下の値を算出し、電流値を計算する。電流値算出部１３２は、コネクタ１０１の接触抵抗の値をあらかじめ保存している。電源制御部１３１および冷却制御部１３３は、電流値算出部１３２が算出した電流値を基に、各光トランシーバ３１の状態を判断する。電源制御部１３１は、電流値算出部１３２が算出した電流値を基に光トランシーバ３１の動作状態を判断し、電源部３４の制御を行う。冷却制御部１３３は、電流値算出部１３２が算出した電流値を基に光トランシーバ３１の動作状態を判断し、冷却部３５の制御を行う。
【００５１】
コネクタ１０１は、光トランシーバ３１を接続する接続部として備えられている。コネクタ１０１は、光トランシーバ３１が送受信を行う信号の入出力を行う信号線、電源線および制御信号の入出力を行う通信バス等を有している。また、コネクタ１０１は、コネクタ１０１の通過前後での電源線の電圧差を測定するための配線を有している。
【００５２】
本実施形態の光伝送装置３０の動作について説明する。光伝送装置３０が動作を開始すると、制御部３３の電源制御部１３１は、電源部３４に電力の供給を開始する信号を送る。電力の供給を開始する信号を受け取ると、電源部３４は、外部電源を元に各光トランシーバ３１に接続されている電源線を介して各光トランシーバ３１に電力を供給する。
【００５３】
電力の供給が開始させると、各電源線に備えられている電圧測定部３２は、コネクタ１００前後の電圧差を測定し、測定結果を制御部３３の電流値算出部１３２に送る。
【００５４】
電流値算出部１３２は、各電源線のコネクタ１０１の前後の電圧降下に相当する電圧差の測定結果を受け取ると、電圧差から電流値を算出する。電流値を算出すると、電流値算出部１３２は、各電圧測定部３２の測定結果から算出した電流値の平均値を算出する。
【００５５】
電流の測定結果の平均値が算出されると、冷却制御部１３３は、電流値算出部１３２が算出した平均値から冷却部３５のファンの回転数を決定する。ファンの回転数を決定すると、冷却制御部１３３は、ファンの回転数を示す信号を冷却部３５に送る。冷却部３５は、冷却制御部１３３からファンの回転数の情報を受け取ると、受け取った回転数となるようにファンの回転を制御する。冷却部３５のファンが回転すると、光伝送装置３０内は、冷却される。
【００５６】
また、制御部３３の電源制御部１３１は、電流値算出部１３２が算出した電流値を、光トランシーバ３１の異常の有無を判断する所定の基準値と比較する。算出された電流値が所定の基準の範囲外であるとき、電源制御部１３１は、電源部３４に電源の供給を停止する信号を送る。電源の供給を停止する信号を受け取ると、電源部３４は、電源の供給を停止する。
【００５７】
本実施形態の光伝送装置３０は、光トランシーバ３１に供給される電流の電流値をコネクタ前後の電圧降下を基に算出し、算出した電流値を基に冷却部３５の制御を行っている。本実施形態の光伝送装置３０は、第３の実施形態と同様に、光トランシーバ３１に供給される電流値の変化を基に、光トランシーバ３１の状態が変化に短時間で対応して冷却部３５におけるファンの回転数を変更することができる。そのため、本実施形態の光伝送装置３０は、光トランシーバ３１の動作状態の変化に遅延することなく、冷却部３５の制御を行うことができる。
【００５８】
第３および第４の実施形態の光伝送装置は、光トランシーバに供給される電力の変化を基に、冷却部の制御を行っているが、電力の変化を基に冷却部以外の制御や監視を行ってもよい。そのような構成とする場合に、制御や監視の判断基準となる電流値は、制御対象や対象に応じてそれぞれ設定される。また、各実施形態の光伝送装置において、光トランシーバに供給される電流や電圧の変化を基に光トランシーバの挿抜の検出を行ってもよい。
【００５９】
各実施形態の光伝送装置は、電流値を基準と比較した結果を基に監視や制御を行っているが、電流や電圧の変動値を基にした基準を設定して、電流や電圧の変動の測定結果を基に監視や制御を行ってもよい。そのような構成とすることで、電流値等の測定値が基準内で光トランシーバの状態に急激に変化があった場合などに対応することができるので、監視や制御の精度をより向上することができる。
【符号の説明】
【００６０】
１    光伝送装置
２    接続手段
３    電源供給手段
４    取得手段
５    監視手段
１０    光伝送装置
１１    光トランシーバ
１２    電流測定部
１３    制御部
１４    電源部
２０    光伝送装置
２１    光トランシーバ
２２    電流測定部
２３    制御部
２４    電源部
２５    冷却部
３０    光伝送装置
３１    光トランシーバ
３２    電圧測定部
３３    制御部
３４    電源部
３５    冷却部
１００    コネクタ
１０１    コネクタ
１１１    電源制御部
１１２    電流値取得部
１２１    電源制御部
１２２    電流値取得部
１２３    冷却制御部
１３１    電源制御部
１３２    電流値算出部
１３３    冷却制御部
【図１】
2020053822.tif 000003
【図２】
2020053822.tif 000004
【図３】
2020053822.tif 000005
【図４】
2020053822.tif 000006
【図５】
2020053822.tif 000007
【図６】
2020053822.tif 000008
【図７】
2020053822.tif 000009